(57)【特許請求の範囲】
【請求項１】
複数コマ分の静止画像データが書き込まれている記憶手段と、
該記憶手段に書き込まれている前記静止画像データに関する情報に基づいて前記静止画像データを連続的にコマ送り再生する際に、当該情報取り扱い装置に設けられたスイッチ手段の入力に基づいてこの連続的にコマ送り再生する際の１秒あたりの再生コマ数を前記記憶手段に記憶されている画像データの数に応じて決定する再生速度決定手段と、
前記再生速度決定手段によって決定された１秒あたりの再生コマ数によって、前記画像データを連続的にコマ送り再生する画像データ再生手段と、
を具備したことを特徴とする情報取り扱い装置。
【請求項２】
前記再生速度は、前記記憶手段に記憶されている画像データの数が所定数以上である場合と、所定数未満である場合とで異なることを特徴とする請求項１に記載の情報取り扱い装置。
【請求項３】
前記再生速度は、連続再生を行う複数の画像データのうちの特定の画像データについては１秒あたり第１の再生コマ数とする一方、当該特定画像データ以外の画像データについては前記第１の再生コマ数とは異なるコマ数であることを特徴とする請求項１または２に記載の情報取り扱い装置。
【発明の詳細な説明】
【０００１】
【産業上の利用分野】
本発明は、情報取り扱い装置、詳しくは、主情報領域と管理情報領域とが形成された情報記録媒体に情報を記録、または、消去可能な情報取り扱い装置に関するものである。
【０００２】
【従来の技術】
従来、情報取り扱い装置に関して、特開昭６２−２３２７０２号公報に開示の装置は、複数の記録トラック毎にフィールド画像、または、フレーム画像等の画像情報がアナログ信号の態様でＦＭ記録されたフロッピディスクに対し、その特定の単一の記録トラックに対して消去を行うモードと、所要に応じて全ての記録トラックに亘って消去を行うモードとを有することによって使い勝手を向上させるようにしたものであった。
【０００３】
また、特開昭６２−２３２７０９号公報に開示の情報取り扱い装置は、使用者が錯誤により本来消去を意図した記録トラック以外の記録トラックについて消去を行ってしまうことを回避するべく、消去動作の開始に先だって、フロッピディスクに記録された画像情報を順次再生してモニタで確認し、所要に応じて消去を中止することができる装置に関するものであった。
【０００４】
また、上記のような従来の情報取り扱い装置において画像情報を再生する場合、既記録枚数の多少にかかわらず、記録枚数が少ない、あるいは記憶容量の少ない記録媒体の場合に適したある一定のレートにより連続再生している。
【０００５】
【発明が解決しようとする課題】
しかしながら、従来のこのような再生方法では、大容量記録媒体を用いる場合や記録枚数が多い場合は、再生時間が長くかかるという課題がある。
【０００６】
本発明は、従来の画像情報の再生におけるこのような課題を考慮し、大容量記録媒体を用いる場合や記録枚数が多い場合でも、画像情報の再生時間を短くできる情報取り扱い装置を提供することを目的とするものである。
【０００７】
【課題を解決するための手段】
本発明における情報取り扱い装置は、複数コマ分の静止画像データが書き込まれている記憶手段と、該記憶手段に書き込まれている前記静止画像データに関する情報に基づいて前記静止画像データを連続的にコマ送り再生する際に、当該情報取り扱い装置に設けられたスイッチ手段の入力に基づいてこの連続的にコマ送り再生する際の１秒あたりの再生コマ数を前記記憶手段に記憶されている画像データの数に応じて決定する再生速度決定手段と、前記再生速度決定手段によって決定された１秒あたりの再生コマ数によって、前記画像データを連続的にコマ送り再生する画像データ再生手段と、を具備したことを特徴とする。
【０００９】
【実施例】
以下、本発明の実施例を図に基づいて説明する。
【００１０】
図１ないし図３は、本発明の第１実施例である情報取り扱い装置の電子スチルカメラのブロック構成図と外観図である。
【００１１】
なお、本実施例の電子スチルカメラは、ＩＣメモリカードを情報記録媒体として適用するものであり、その構成を信号の流れに沿って上記図１のブロック構成図を参照して説明する。
【００１２】
光学系１を介して入射した被写体の光学像は、その結像面に配設されたＣＣＤ等で構成される撮像系２によってアナログの電気信号に変換される。この撮像系２から出力された撮像信号は、クランプ回路３によってＤＣレベルを一定に保たれた後、アナログ／ディジタル変換回路（以下、Ａ／Ｄ変換回路と略記する。）４によってディジタル信号に変換され、フレームメモリ６に書き込まれて一時的に保管される。
【００１３】
フレームメモリ６への書き込みが全て終わると、次に、メモリコントローラ５のコントロールによりフレームメモリ６からデータを読み出して、離散型コサイン変換回路（以下、ＤＣＴと略記する。また、図中では、ＤＣＴ／ＩＤＣＴと記載する。）７においてデータ圧縮に必要なデータ変換を行い、コーダ／デコーダ８へ出力する。このコーダ／デコーダ８のコーダ部では、圧縮処理を施すために必要な各種のデータやテーブルが書き込まれている補助メモリ９を参照しながら、該映像データを圧縮処理する。そして、圧縮されたデータは、データバス２０を通って該電子スチルカメラに着脱可能に取り付けられた情報記録媒体たるＩＣメモリカード１０に書き込まれる。
【００１４】
次に、上述のように記録した映像データを再生する場合の信号の流れに沿って、該電子スチルカメラについての説明を続ける。
【００１５】
上記ＩＣメモリカード１０から読み出されたデータは、データバス２０を通ってコーダ／デコーダ８に入力され、該コーダ／デコーダ８のデコーダ部において上記圧縮処理されたデータを元に戻す伸長処理が施される。この伸長されたデータは、ＤＣＴ回路７において逆ＤＣＴ処理されてフレームメモリ６に書き込まれる。全てのデータの伸長処理が終了すると、今度はフレームメモリ６からデータがメモリコントローラ５のコントロールによって読み出されて、その出力がディジタルプロセス１１によって例えばＮＴＳＣに準拠したビデオ信号に変換処理される。
【００１６】
そして、Ｄ／Ａ（ディジタル／アナログ）変換回路１２によってアナログ信号に変換されて、バッファ１３により例えば７５Ωインピーダンス整合をとられた後に、電子ビューファインダ（以下、ＥＶＦと略記する）１４において撮影者に観察可能に画像が再生される。そしてこれと同時に、該ビデオ信号は外部への映像出力端子１５へ出力されるようになっている。
【００１７】
該電子スチルカメラは、これら構成要素の他に、日付けや時刻等の文字情報を生成して画面上にオンスクリーン表示を行うキャラクタジェネレータ１６と、後述する各種の動作モード等を表示するＬＣＤ表示部１７と、各種の操作を行う操作部１８とを有していて、上述の各構成要素は、システムコントローラ１９により制御されるようになっている。
【００１８】
次に、ストロボ・測光制御系について説明すると、測光系２３は、上記システムコントローラ１９の制御の基に、上記撮像系２，内部ストロボ２１および外部ストロボ端子２２を介して図示しない外部ストロボを駆動制御するようになっている。
【００１９】
なお、上記ＩＣメモリカード１０等の記録媒体に記録するときには、例えば、パソコン上で認識可能なフォーマット、具体的にはＤＯＳフォーマットに変換して記録するようになっている。
【００２０】
次に、上記操作部１８等の配置について詳述する。
【００２１】
図２および図３の本実施例の電子スチルカメラの外観図には、上記操作部１８等の配設状態が示されている。なお、図２は、該カメラの平面図、また、図３は、図２のＡ矢視図であって、同カメラの接眼部より見た図である。
【００２２】
図に示すように、該カメラ本体上面の中央部には、上述した表示部１７としてのＬＣＤ４８が配設されており、後述する各操作等の表示がなされるようになっている。該ＬＣＤ表示部４８の一側方には、ズームスイッチ（ＺＯＯＭスイッチ）Ｔ３１，Ｗ３２が配設されている。これらのスイッチは、それぞれテレモード，ワイドモード選択用のズームスイッチである。
【００２３】
また、上記ＺＯＯＭスイッチＴ３１，Ｗ３２の図中、下方にはアップスイッチ（ＵＰスイッチ）３３，ダウンスイッチ（ＤＯＷＮスイッチ）３４が配設されている。これらのスイッチ３３，３４は、該カメラが記録モード時にあるときには、モードの調整、たとえば、ホワイトバランスの微調整，シャッタースピードの変更，露出補正値の変更，パワーフォーカスのフォーカシング等に使用され、また、再生モード時には、コマ送り、コマ戻しに使用されるようになっている。
【００２４】
次に、図２において上記ＬＣＤ表示部４８の下方に配設されている上記操作部１８を構成する操作スイッチ群の機能について説明する。
【００２５】
図中、ＷＢスイッチ３５は、記録モード時に、ホワイトバランスモードの変更に使用される。
【００２６】
ＶＩＥＷ  ＥＲＡＳＥスイッチ３６は、記録モード時には、押している間だけ直前に記録された画像が再生され、再生モード時には、コマ消去スイッチとして使用される。
【００２７】
また、＋／−スイッチ３７は、記録モード時に、露出モードの変更に使用される。ＦＯＣＵＳスイッチ３８は、記録モード時に、オートフォーカスあるいはパワーフォーカスのフォーカスモードの変更に使用され、再生モード時には、後述する復活・コマ詰めモードの変更に使用される。
【００２８】
ＳＴスイッチ３９は、記録モード時に、ストロボモードの変更に使用される。ＰＩＣＴＵＲＥスイッチ４０は、記録モード時に、色合い等の変更に使用される。ＤＲＩＶＥスイッチ４１は、記録モード時には、記録スピードモードの変更に使用され、再生モード時には、再生スピードの変更に使用される。
【００２９】
ＭＯＤＥスイッチ４２は、記録モード時に、圧縮モードの変更に使用される。ＴＩＭＥスイッチ４３は、時刻の設定に使用される。ＰＯＷＥＲスイッチ４４は、本実施例のカメラのパワーオン・オフ操作に使用される。トリガスイッチ４５は、撮影動作を指示するのに使用される。
【００３０】
上記各操作スイッチ群のさらに下方の、カメラ本体縁部には、記録モードと再生モードの切り換え、または、画像伝送時の送信モードと受信モードとの切り換えに使用するＣＡＭＥＲＡ／ＰＬＡＹ切換えスイッチ４６と、記録モード時に、フルオート撮影モードとマニュアル撮影モードとの切り換え、または、該カメラを伝送モードに設定するためのＡＵＴＯ／ＭＡＮＵＡＬ切換えスイッチ４７とが配設されている。また、カメラ本体の手前側側面には、該カメラの上記ＥＶＦ１４のための接眼部４９が配設されている。
【００３１】
一方、カメラ本体の前面には、上記内部ストロボ２１（図１参照）、および、撮影レンズとしての光学系１が配設されていて、上述したように、システムコントローラ１９に制御された測光系２３によって各種の発光制御がなされるようになっている。さらに、カメラ本体の一側面前方には，上記外部ストロボ端子２２（図１参照）が配設されており、該端子２２に図示しない外部ストロボが接続されるようになっている。
【００３２】
本実施例のカメラにおける画像データの記録は、ＩＣメモリカード１０に記録されるが、該メモリカード１０は、通常のＤＯＳフォーマットによりフォーマットされている。図２０は、上記ＤＯＳフォーマットにおける各データの配置を示す図である。
【００３３】
該ＤＯＳフォーマットにおいて、まず、主情報である画像データの管理を行うものであって、画像データの記録領域情報がチェーン形式で記録される管理情報であるＦＡＴ（ＦＩＬＥ  ＡＬＬＯＣＡＴＩＯＮ  ＴＡＢＬＥ）情報が管理情報領域であるＦＡＴ領域１０１に記録され、続いて、ファイル名等の属性情報が記録される管理情報であるディレクトリ（階層構造）エントリが管理情報領域であるディレクトリエントリ領域１０２に記録される。更に、主情報である画像データが記録される。該画像データは、各々ヘッダ情報と画像ファイルにより構成され、主情報領域であるデータ領域１０３に記録される。各画像ファイルにはそれぞれ１コマ分の画像に関するデータが書き込まれている。
【００３４】
本実施例のカメラは、記憶容量の大きいメモリカードを適用するカメラであって、大容量のコマ送りを行う大容量コマ送り動作、即ち、１０，１００コマの固定コマ数毎、任意の指示コマ数毎、または、記録枚数を判断し、それに対応したコマ数毎の能率的なコマ飛びの再生が可能なものである。上記コマ飛びのコマの間の記録コマは、再生しないか、ミュート画面とするか、また、高速で再生するか（１コマ再生）、あるいは、マルチ画面で縮小コマで再生するものとする。
【００３５】
また、本実施例のカメラでは上記コマ飛び動作時のＬＣＤ表示には再生コマＮＯ．と飛ばし量が表示される。
【００３６】
図１８は、本カメラの「大容量コマ送り１」のサブルーチンのフローチャートである。
【００３７】
本処理においては、ステップＳ１０１で１コマ再生を行う。そのときのモニタ表示画面は画面Ｍ１０１に示され、ＬＣＤ表示Ｌ１０１には現表示コマＮＯ．と記録済みコマ数が表示される。
【００３８】
ステップＳ１０２にてＵＰ／ＤＯＷＮスイッチ３３，３４を操作してコマ送りを行う。モニタ表示画面とＬＣＤ表示は、例えば、Ｍ１０２，Ｌ１０２のように表示される。ステップＳ１０３では、連続再生指示かどうかをＵＰ／ＤＯＷＮスイッチ３３，３４を所定時間以上、例えば、５秒以上を押圧したかにより連続再生指示であるかどうかの判別をする。連続再生指示のとき、既記録主情報記録単位数識別手段としてのステップＳ１０６へ進み、連続再生指示でなければ、ステップＳ１０４へ進む。該ステップＳ１０４では、１コマ送り再生を実行する。
【００３９】
上記ステップＳ１０６では、記録単位数としての記録コマ数が１１コマ以上であるかをチェックし、１１コマ以上であった場合、連続再生レート可変手段としてのステップＳ１０８にジャンプし、１１コマ、または、１１コマ以下の場合、ステップＳ１０７へ進む。ステップＳ１０７では２コマ／秒で連続の１コマの送り再生を行う。
【００４０】
上記ステップＳ１０８では１コマ目から９コマ目までの比較的速い５コマ／秒で連続の１コマの送り再生を行う。そして、ステップＳ１０９で１０コマ目の表示を０．５秒間行ってステップＳ１０５に進む。ステップＳ１０５では更にコマ送りを実行するかどうかをチェックし、実行するときはステップＳ１０２に戻る。このようにして、記録コマ数が１１コマ以上の場合には、９コマの比較的速い速度と１コマの比較的遅い速度の連続の１コマ送り再生を繰り返す。
【００４１】
本実施例のカメラの大容量コマ送り処理の変形例として、ＵＰ／ＤＯＷＮスイッチの押圧時間により読み飛ばしコマ数を変化せしめるものを提案できる。この変形例では、例えば、該スイッチの押圧の最初の５秒間は１０コマ分を読み飛ばし、５秒以降は、例えば、１００コマを読み飛ばすようにコントロールする。また、予め指定されたコマ数分が読み飛ばされるようにした変形例のカメラも提案できる。
【００４２】
更に、本実施例のカメラの大容量コマ送り処理の別の変形例として、画像データがサブディレクトリ上に記録されている場合、自動的にカレントディレクトリを該サブディレクトリに移転させ、上記画像データを再生可能とするものを提案できる。
【００４３】
図１９は、上記変形例のサブルーチン「大容量コマ送り２」のフローチャートを示すが、このルーチンにおけるステップＳ１１１の１コマ再生処理からステップＳ１１５のコマ送り判別処理までは、上記図１８のルーチンのステップＳ１０１からＳ１０５の処理と同一である。
【００４４】
そして、本ルーチンにおいては、ステップＳ１１３でＵＰ／ＤＯＷＮスイッチ３３，３４が所定時間以上押圧され、連続再生の指示であると判別された場合、ステップＳ１１６にジャンプする。そして、現在のカレントディレクトリの上位、または、下位のサブディレクトリに記録された画像データが存在しているどうかをチェックし、該画像データが存在しないときは、ステップＳ１１７に進み、２コマ／秒で連続の１コマの送り再生を行う。
【００４５】
一方、サブディレクトリに画像データが存在している場合、ステップＳ１１８に進み、カレントディレクトリを該サブディレクトリに移して、該サブディレクトリの画像データを再生する。モニタ表示画面Ｍ１１２は、上記サブディレクトリ「５」に記録された画像データの再生画面を示し、ＬＣＤ表示Ｌ１１２はカレントディレクトリであるサブディレクトリ「５」とカレントディレクトリがサブディレクトリに移ったことを示す「−」と、そのディレクトリのコマＮＯ．１を表示している。
【００４６】
なお、上記実施例による図１８の「大容量コマ送り１」の処理とその変形例の図１９の「大容量コマ送り２」の処理とをコンバインした処理を行わせることも可能である。このコンバインした処理では、「大容量コマ送り１」の処理で１０コマ毎の読み飛ばしを行っているときは、サブディレクトリ記録の画像データありと判別した場合、該サブディレクトリ中の画像データの再生を行うことができ、非常に使い勝手の良いものとなる。
【００４７】
ところで、上述した特開昭６２−２３２７０２号，２３２７０９号公報に開示の装置における消去は、いずれも当該トラックに対してアナログ信号の態様でＦＭ記録された信号に対して消去信号により完全に消去を行ってしまうものである。従って、消去動作の開始に先だって順次再生してモニタで確認するとはいえ、この確認を誤って消去してしまった場合には原理的に２度と再生することはできない。
【００４８】
また、機密保持等の目的で再生不能にするのであれば、上記開示された装置では、完全に消去する以外に方途はない。しかしながら、このような機密保持を要する画像等の情報は、本来、完全に消去してしまうことが望まれる場合は、むしろ希であり、特定の条件下では再び顕在不可能にしておきたいという要請があるのが普通である。
【００４９】
ところが、上記特開昭６２−２３２７０２号や２３２７０９号公報に開示の装置では、上述のごとく、記録画像を不可視的状態に置くということは、即ち、完全に消去することを意味するものであるため、特定の場合については再び顕在化したいという要請に応えるということは原理的に不可能であった。即ち、機密保持に主眼をおくとすれば、完全に消去してしまう以外に方法がなく、また一方、再び、顕在化可能にしておくことに主眼を置くとすれば消去しないままにして置かねばならない。従って、後者の場合、機密保持の要請には沿うことができなかった。
【００５０】
そこで、本実施例のカメラは、画像等の記録情報を完全に消去せずとも、通常の操作では再生不能である点で従来の装置における消去とは等価な状態に至らしめるようにして機密保持の要請に応え得ると共に、所要の応じて、一旦、消去状態と等価な状態にされても特定の条件下では、当該情報を再び顕在不可能にすることができるようにしている。
【００５１】
本実施例のカメラにおいては、記録された画像情報を消去する消去機能として、３つの機能がある。即ち、通常消去，予約消去，完全消去の３通りである。通常消去は、通常の消去処理であって、消去されたコマの画像情報を単に再生可能状態に戻す復活処理が簡単にはできない消去処理である。しかし、特殊な操作により復活は可能である。予約消去は、消去されたコマの画像情報が簡単なキー操作により比較的に容易に復活させることができる消去処理である。完全消去は、消去されたコマの画像情報を復活させることができない消去処理である。
【００５２】
（表１）は、上記通常消去，予約消去，完全消去におけるデータ処理状態を示す。また、（表２）は、消去した画像データの復活方法と各消去の効果を示す。
【００５３】
【表１】
0003717541.tif 000002
【００５４】
【表２】
0003717541.tif 000003
【００５５】
上記（表１）のデータ処理状態を詳しく説明すると、通常消去処理においては、ＦＡＴの最初の番地を００Ｈ（符号Ｈは、１６進数であることを示す）とする。そして、ディレクトリエントリのファイル名の最初の番地を００Ｈとする。データ領域のヘッダと画像データは変えない。
【００５６】
また、予約消去処理においては、通常消去を行わず、ディレクトリエントリのファイル名をある決められたファイル名に書き換える。または、ディレクトリエントリのファイルの属性情報を書き換える。なお、上記属性情報は、ＲＥＡＤＯＮＬＹ，ＨＩＤＤＥＮ，ＳＹＳＴＥＭ，ＡＲＣＨＩＶＥ等である。しかし、データ領域のヘッダと画像データは変えない。
【００５７】
また、完全消去処理においては、通常消去のように、ＦＡＴやディレクトリエントリの情報を１部書き換えるだけではなく、データ領域のヘッダ、および、画像データを全て、００Ｈ、または、ランダム値に書き換える。更に、ＦＡＴやディレクトリエントリの情報も書き換える。
【００５８】
そして、（表２）に示す本実施例のカメラの特徴である消去コマの復活処理において、通常消去により消去されたコマの画像データファイルとしての復活は、ＦＡＴとディレクトリエントリを書き換えることによって復活させる。また、予約消去によって消去したコマの画像データファイルとしての復活は、ディレクトリエントリのファイル名、または、ファイルの属性情報を書き換えることによって復活させる。完全消去されたコマの画像データファイルとしての復活はできない。なお、各消去処理の効果は、（表２）に記載する通りである。
【００５９】
また、上記各消去処理における記録コマの１コマから複数コマ、更に、全コマに対しての消去機能の可，不可を（表３）に示す。また、各消去処理により消去された消去コマに対する消去画像データの復活の可，不可を（表４）に示す。
【００６０】
【表３】
0003717541.tif 000004
【００６１】
【表４】
0003717541.tif 000005
【００６２】
なお、上記１コマ消去、または、復活は、記録コマの１コマのみの消去、または、復活動作である。上記複数コマ消去、または、復活は、指定された任意の複数の記録コマの消去、または、復活動作である。更に、全コマの消去、または、復活は、全ての記録コマの消去、または、復活動作である。
【００６３】
また、本実施例のカメラは、記録画像情報のコマ詰め処理を行うコマ詰め機能を有しているが、その機能の１つとして、コマＮＯ．１より連続して画像記録コマを詰めてゆく処理と、他の１つとして、指定のコマＮＯ．より連続して詰めてゆく処理とがある。
【００６４】
以下に上記消去処理、復活処理、および、コマ詰め処理について、フローチャートを用いて説明する。
【００６５】
上記消去処理、復活処理、および、コマ詰め処理は、カメラの再生モードにおける通常再生処理中に、上記各処理のためのサブルーチンがコールされて実行される。図４に上記通常再生処理のフローチャートを示す。
【００６６】
本処理において、ステップＳ１にて１コマ再生が行われ、モニタには表示画面Ｍ１に示すようにコマＮＯ．１の画像が表示される。なお、該モニタの表示画像はＥＶＦ１４の表示画面にも同一画面が表示される。以下の処理においても同様とする。また、ＬＣＤ表示部１７の表示Ｌ１には現在の表示コマＮＯ．１と、記録コマ数、例えば、１０が表示される。
【００６７】
そこで、ＥＲＡＳＥスイッチ３６が押圧されると、消去処理を実行するため、ステップＳ４にジャンプし、後述するサブルーチン「消去処理」がコールされる。
【００６８】
また、ＵＰスイッチ３３とＤＯＷＮスイッチ３４を同時に押した場合、モニタには図４のマルチ画像表示面Ｍ２が表示される。そして、復活処理、および、コマ詰め処理のサブルーチンがコールされる（ステップＳ６，７）。なお、上記復活処理、および、コマ詰め処理については、後で図１４〜図１７のフローチャートを用いて説明する。
【００６９】
図４のマルチ画像表示面Ｍ２は、コマＮＯ．１，３，５，８が記録された状態であり、コマＮＯ．２，４，６，７が復活可能な通常消去されており、黄色ミュート画面となるが図面上は、ハッチングで示す。なお、予約消去されたコマは、緑色ミュート画面とする。図面上、同様にハッチングで示す。
【００７０】
更に、マルチ画像表示面Ｍ２上では、コマＮＯ．９が未記録のコマか、または、完全消去コマでおり、黒色ミュート画面とする。図面上、格子線で示す。なお、これらの図面上の表示（ハッチング，格子線）は、以下の説明でも同一とする。
【００７１】
上記マルチ画像表示面Ｍ２の表示コマ数は、通常記録コマ数と通常・予約消去コマ数に１コマを加えたコマ数Ｎ０より少なくないコマ数であって、ＮＫ＝Ｐ×Ｐ（但し、Ｐは２，３，４，……数）の表示を行うものとする。
【００７２】
なお、上述のように１コマを加えるのは、記録コマ、および、通常・予約消去コマの最終コマ位置を識別するために、最後の記録、または、通常・予約消去コマの直後のコマを黒ミュート表示とするためである。また、Ｐ×Ｐのマルチ画面上、上記余分のコマ（コマ数でＮＫ−Ｎ０）の表示は、黒色ミュート表示画面とする。図５の場合は、記録コマと通常・予約消去コマの合計のコマ数Ｎ０が１３コマであり、Ｐ×Ｐのマルチ表示として、上記１３コマより多い表示コマ数ＮＫが１６コマのマルチ画面である。
【００７３】
さて、ＥＲＡＳＥスイッチ３６の操作によりサブルーチン「消去処理」がコールされた場合、図６のフローチャートに示すように、更に、キー操作により１コマ消去処理，複数コマ消去処理，全コマ消去処理のサブルーチンがコールされる（ステップＳ１５，１４，１３）。
【００７４】
まず、ＥＲＡＳＥスイッチ３６を押圧しながらトリガスイッチ４５の２段目を押すと、ステップＳ１５において１コマ消去処理がコールされるが（図６参照）、該トリガスイッチ４５の２段目までを１回押した場合、１コマ消去処理での通常消去処理１がコールされ、２回押した場合、１コマ消去処理での予約消去処理１がコールされ、また、３回押した場合、１コマ消去処理での完全消去処理１がコールされる（図７参照）。この通常消去処理１の処理ルーチンについては、図８のフローチャートにより後で詳細に説明する。
【００７５】
また、ＥＲＡＳＥスイッチ３６を押圧しながらＭＯＤＥスイッチ４２を押すと、図６のステップＳ１３にて、全コマ消去処理がコールされる。その後、ＥＲＡＳＥスイッチ３６を押圧したまま、トリガスイッチ４５の２段目まで１回押すと、全コマ消去処理のうちの通常消去処理２がコールされ、２回押すと、全コマ消去処理のうちの予約消去処理２がコールされ、また、３回押すと、全コマ消去処理のうちの完全消去処理２がコールされる。このルーチンのフローチャートは図９に示されている。また、上記通常消去処理２の処理ルーチンについては、図１０により後で説明する。
【００７６】
更にまた、ＥＲＡＳＥスイッチ３６を押圧しながらＵＰ、または、ＤＯＷＮスイッチ３３，３４を押すと、図６のステップＳ１４にて、複数コマ消去処理がコールされる。そして、複数コマＮＯ．を指定後、ＥＲＡＳＥスイッチ３６を押圧したままの状態で、トリガスイッチ４５の２段目まで１回押すと、複数コマ消去処理のうちの通常消去処理３がコールされ、２回押すと、複数コマ消去処理のうちの予約消去処理３がコールされ、また、３回押すと、複数コマ消去処理のうちの完全消去処理３がコールされる。この処理ルーチンのフローチャートは、図１１，１２に示され、また、上記通常消去処理３の処理ルーチンのフローチャートは、図１３に示されており、後で詳細に説明する。
【００７７】
なお、上記各処理において通常消去，予約消去，完全消去の指定を行うキー操作のために、専用の通常消去スイッチ，予約消去スイッチ，完全消去スイッチを設けて、該スイッチを操作することで上記各消去処理を指定するようにしてもよい。
【００７８】
次に、上記図７のステップＳ２５にてコールされる１コマ通常消去処理のサブルーチン「通常消去処理１」について図８により説明する。
【００７９】
まず、ステップＳ３１にてカメラが通常消去モードに設定されると、図８のモニタ表示画面Ｍ１とＬＣＤ表示Ｌ１がモニタ表示画面Ｍ３２とＬＣＤ表示Ｌ３２に変化し、画面Ｍ３２上では消去の対象となる指定コマＮＯ．の画面にて、通常消去を表す表示「ＥＲＡＳＥ１」が点滅する。続いてコマＮＯ．が表示される。また、表示Ｌ３２上にて、指定コマＮＯ．が表示され、通常消去の表示「Ｅ１」が点滅する。
【００８０】
そして、ステップＳ３２にて消去実行操作を行う。即ち、ＥＲＡＳＥスイッチ３６から手を離す。ステップＳ３３で上記消去実行操作により、１コマの通常消去が実行される。そのとき、モニタ表示画面Ｍ３３の表示「ＥＲＡＳＥ１」とＬＣＤ表示画面Ｌ３３の表示「Ｅ１」とが点灯状態になる。上記消去が実行された後は、モニタ表示画面Ｍ３４の黄色ミュート画面となり、ＬＣＤ表示Ｌ３４のように表示「Ｅ１」が、例えば、「９」となり、記録コマ数が９となったことを表示する。
【００８１】
上記図８は、１コマ通常消去処理を示すフローチャートであるが、これに対して１コマ予約消去処理では、上記通常消去動作が予約消去動作に入れ替わることになり、上記図８のモニタ表示画面Ｍ３２，Ｍ３３に対応する表示は、図示しないが予約消去を表す「ＥＲＡＳＥ２」となる。また、ＬＣＤ表示Ｌ３２，Ｌ３３の表示は、予約消去を表す「Ｅ２」となる。更に、消去後におけるモニタ表示画面Ｍ３４は、緑色ミュート画面となる。ＬＣＤ表示Ｌ３４は、変わらない。
【００８２】
更に、図８の１コマ通常消去処理に対して１コマ完全消去処理では、通常消去動作が完全消去動作に入れ替わることになり、図８のモニタ表示画面Ｍ３２，Ｍ３３に対応する表示は、図示しないが完全消去を表す「ＥＲＡＳＥ３」となる。また、ＬＣＤ表示Ｌ３２，Ｌ３３の表示は、完全消去を表す「Ｅ３」となる。更に、消去後におけるモニタ表示画面Ｍ３４は、黒色ミュート画面となる。ＬＣＤ表示Ｌ３４は、変わらない。
【００８３】
次に、上記図９のステップＳ４５にてコールされる全コマ通常消去処理のサブルーチン「通常消去処理２」について図１０により説明する。
【００８４】
まず、ステップＳ５１にてカメラが通常消去モードに設定され、図４のモニタ表示画面Ｍ１とＬＣＤ表示Ｌ１がモニタ表示画面Ｍ５２とＬＣＤ表示Ｌ５２になる。該画面Ｍ５２上では全コマ通常消去を示す表示「ＡＬＬ  ＥＲＡＳＥ１」が点滅する。また、該表示Ｌ５２には、全コマを対象とすることを示す表示「ＡＬＬ」が表示され、更に、通常消去することを示す表示「Ｅ１」が点滅する。
【００８５】
そして、ステップＳ５２にて消去実行操作、即ち、それまで押圧状態になっていたＥＲＡＳＥスイッチ３６から手を離す。ステップＳ５３で上記ステップＳ５２の全コマ消去実行操作に基づいて、全コマの通常消去が実行される。そのとき、表示画面Ｍ５３の表示「ＡＬＬ  ＥＲＡＳＥ１」と表示Ｌ５３の表示「ＡＬＬ」と「Ｅ１」とが点灯状態になる。上記消去が実行された後は、モニタ画面は表示画面Ｍ５４のように黄色ミュート画面となり、ＬＣＤ表示は、表示Ｌ５４のようにコマＮＯ．と記録枚数「０」が表示される。
【００８６】
上記図１０は、全コマ通常消去処理を示すフローチャートであるが、これに対して全コマ予約消去処理、または、全コマ完全消去処理では、上記通常消去動作が予約消去動作、または、完全消去動作にそれぞれ入れ替わることになり、上記図１０のモニタ表示画面Ｍ５２，Ｍ５３に対応する表示は、図示しないが全コマ予約消去を表す「ＡＬＬ  ＥＲＡＳＥ２」、または、全コマ完全消去を表す「ＡＬＬ  ＥＲＡＳＥ３」となる。また、ＬＣＤ表示Ｌ５２，Ｌ５３に対応する表示も、全コマ予約消去を表す「ＡＬＬ」，「Ｅ２」、または、全コマ完全消去を表す「ＡＬＬ」，「Ｅ３」となる。更に、消去後におけるモニタ表示画面Ｍ５４は、緑色ミュート画面、または、黒色ミュート画面となる。ＬＣＤ表示Ｌ５４は、変わらない。
【００８７】
上記図６のステップＳ１４にてコールされるサブルーチン「複数コマ消去処理」について図１１，図１２により説明する。
【００８８】
まず、ステップＳ６１にてカメラがコマ選択モードに設定される。ここではＥＲＡＳＥスイッチ３６とＵＰ／ＤＯＷＮスイッチ３３，３４は、一旦、離してもよい。そして、ＵＰ／ＤＯＷＮスイッチ３３，３４を操作して消去するコマＮＯ．の範囲を指定する。上記図４のモニタ表示画面Ｍ１とＬＣＤ表示Ｌ１がモニタ表示画面Ｍ６２とＬＣＤ表示Ｌ６２に変化する。該画面Ｍ６２上では通常消去を示す表示「ＥＲＡＳＥ１」が点滅し、指定スタートコマＮＯ．と現在のコマＮＯ．が表示される。また、該表示Ｌ６２にも指定スタートコマＮＯ．、および、区間表示「−」が表示され、現在のコマＮＯ．が点滅する。
【００８９】
選択が終了した場合、ステップＳ６３でコマ選択決定操作、即ち、ＥＲＡＳＥスイッチ３６を押圧し、その状態を保つ。ステップＳ６４でモニタ表示画面がマルチ画面表示となり、消去コマ画面を表示する。例えば、モニタ表示画面Ｍ６４に示すようにコマＮＯ．１からコマＮＯ．５の画面が消去の対象として表示される。なお、選択されなかったコマは黒色ミュート画面として表示される。一方、ＬＣＤ表示は表示Ｌ６４に示すように指定消去コマＮＯ．の範囲としてスタートコマＮＯ．から選択された最終コマＮＯ．、および、区間表示「−」を表示する。
【００９０】
そして、図１２に示すように、ステップＳ６５，６６でのキー操作判別で、ステップＳ６７，６８，６９にジャンプし、「完全消去処理３」，「予約消去処理３」，「通常消去処理３」の複数コマの消去処理のサブルーチン処理が選択される。上記キー操作判別は、既に説明したようにＥＲＡＳＥスイッチ３６を押圧したままの状態でのトリガスイッチ４５の２段目までの押圧回数により判別される。
【００９１】
次に、上記ステップＳ６９にてコールされる指定複数コマの通常消去処理であるサブルーチン「通常消去処理３」について図１３により説明する。
【００９２】
ステップＳ７１において、カメラが通常消去モードに設定され、モニタ表示画面は、Ｍ７１に示すマルチ画面が表示される。この表示画面Ｍ７１は、消去される複数のコマ画面の通常消去表示「ＥＲＡＳＥ１」が点滅する。ＬＣＤ表示は、表示Ｌ７１に示すように複数コマ消去表示「ＰＬＵ」と、通常消去表示「Ｅ１」を点滅表示する。
【００９３】
そこで、ステップＳ７２において、消去実行するためにＥＲＡＳＥスイッチ３６を離すと、モニタ表示画面Ｍ７２には、マルチ画面中の消去コマに通常消去表示「ＥＲＡＳＥ１」が点灯され、ＬＣＤ表示Ｌ７２は、上記表示「ＰＬＵ」と通常消去表示「Ｅ１」が点灯する。ステップＳ７３にて複数コマの通常消去が実行されると、モニタ表示画面Ｍ７３は、各消去コマ画面が黄色ミュート画面となる。また、ＬＣＤ表示Ｌ７３には、表示「ＰＬＵ」と記録コマが無くなったことを示す表示「０」が表示される。その後、モニタ画面は１コマ表示画面Ｍ７４となり、ＬＣＤ表示も、例えば、コマＮＯ．１と記録枚数０が表示される。
【００９４】
なお、上記図１３は、複数コマの通常消去処理を示すフローチャートであるが、これに対して複数コマ予約消去処理、または、複数コマ完全消去処理では、上記通常消去動作が予約消去動作、または、完全消去動作にそれぞれ入れ替わることになり、上記図１３のモニタ表示画面Ｍ７２，Ｍ７３に対応する表示は、予約消去を表す「ＥＲＡＳＥ２」、または、完全消去を表す「ＥＲＡＳＥ３」となる。また、ＬＣＤ表示Ｌ７２，Ｌ７３に対応する表示も、予約消去を表す「Ｅ２」、または、完全消去を表す「Ｅ３」となる。更に、消去後におけるモニタ表示画面Ｍ７４は、緑色ミュート画面、または、黒色ミュート画面となる。ＬＣＤ表示Ｌ７４は、変わらない。
【００９５】
上記複数コマ選択処理における画面表示方法の変形例の１つとして、指定するコマを１コマずつ表示して、消去する全コマを確認し、その後、消去動作時に消去指定コマを２５〜４９程度の分割マルチ画面の左上から表示してゆく変形例が提案できる。
【００９６】
また、上記画面表示方法の変形例の別の１つとして、指定するコマを２５〜４９程度の分割マルチ画面の左上から表示してゆく方法も提案できる。この場合、上記分割数は、指定するコマ数の増加に伴い自動的に増加するように構成することも可能である。
【００９７】
更に、上記複数コマの選択処理における指定方法の変形例の１つとして、ＵＰ／ＤＯＷＮスイッチ３３，３４の操作によりモード指定を行って、２〜１０コマずつの単位で消去コマを指定してゆく方法も提案できる。
【００９８】
更に、上記複数コマの選択処理における指定方法の変形例の他の１つとして、画像データのヘッダファイルに記録されたフラグにより選別し、連写した１組の撮影画像中、連写された最初の撮影コマの画像データのみを残して、他のコマの画像データを消去コマとして指定する方法も提案できる。
【００９９】
また、本実施例における１コマ消去，複数コマ消去，全コマ消去に対する通常，予約，完全消去動作として、それぞれコマ数に応じた消去処理を対応させるようにした変形例を提案することも可能である。この変形例においては、１コマ消去処理時には通常消去を行い、複数コマ消去処理時には予約消去を行い、全コマ消去処理時には完全消去を行うようにする。
【０１００】
更に、別の変形例として、１コマ消去と全コマ消去時には、トリガスイッチ４５の２段目押圧を１回行って、通常消去を行い、該スイッチの押圧を２回行って、完全消去を行うようにして、複数コマ消去時には予約消去のみを行う変形例を提案することもできる。
【０１０１】
次に、上記図４のフローチャートのステップＳ７でコールされる復活処理について図１４のフローチャートにより説明する。なお、本カメラには、予約消去コマの復活機能に加えて、通常消去コマの復活機能も備えているものとする。
【０１０２】
ＵＰスイッチ３３とＤＯＷＮスイッチ３４を同時に押圧し、復活処理、および、コマ詰め処理がコールされると、モニタの表示画面は、マルチ表示画面である画面Ｍ８０が表示される。コマＮＯ．の点滅はしない。ＬＣＤ表示Ｌ８０は、無表示となる。なお、画面Ｍ８０の例ではコマＮＯ．２，４，６，７の画面は、通常消去されており、黄ミュート画面となっている。コマＮＯ．９の画面は、黒ミュート画面となっている。
【０１０３】
そこで、ステップＳ８１にてＵＰスイッチ３３とＤＯＷＮスイッチ３４の何れもが押圧されていない場合には、ステップＳ８２に進む。また、ＵＰスイッチ３３、または、ＤＯＷＮスイッチ３４の何れかが押圧されると、図１５に示すステップＳ８５にジャンプする。
【０１０４】
上記ステップＳ８２において、復活実行操作、即ち、トリガスイッチ４５の２段目までの押圧を行うと、ステップＳ８３にて、通常・予約消去されている全てのコマの画像データが復活する。そして、マルチ表示画面であるモニタ表示画面Ｍ８２には、全ての消去コマ、例えば、コマＮＯ．２，４，６，７の画像が表示される。そこで、ステップＳ８４において、復活前の状態に戻すかをトリガスイッチ４５の２段目押圧操作によりチェックし、押圧された場合にはステップＳ８２に戻り、再度画像データが消去された状態に戻す。
【０１０５】
ステップＳ８１にてＵＰスイッチ３３、または、ＤＯＷＮスイッチ３４を１回押圧し、図１５のステップＳ８５にジャンプした場合、モニタ表示画面Ｍ８１では、コマＮＯ．１が点滅する。ＬＣＤ表示Ｌ８１は「１．１」となる。更に、ＵＰ／ＤＯＷＮスイッチ３３，３４によりモニタ画面Ｍ８１′からＭ８３に示すように順送りにコマ送りし、そのコマＮＯ．が点滅する。ＬＣＤ表示Ｌ８１′からＬ８３に上記コマＮＯ．が点灯する。
【０１０６】
ステップＳ８６において、コマ選択操作、即ち、コマ選択兼用のＦＯＣＵＳスイッチ３８の押圧操作を行うと、上記点滅中のコマＮＯ．が選択される。そして、ＦＯＣＵＳスイッチ３８を押圧する度に、コマ復活指定とコマ詰め指定とが切り換わる。コマ復活指定を選択した場合、モニタ画面Ｍ８４，Ｍ８５のように選択されたコマが黄ミュート画面と黒ミュート画面が交互に点灯する状態となり、選択の確認のための表示をする。ＬＣＤ表示Ｌ８４には、選択コマＮＯ．と復活表示「ｒ」が表示される。更に別のコマを選択する場合、ステップＳ８５に戻り、ＵＰ／ＤＯＷＮスイッチ３３，３４によりコマ送り操作を行う。
【０１０７】
コマ選択が終わった場合、ステップＳ８８において、復活実行操作、即ち、トリガスイッチ４５の２段目を押圧すると、ステップＳ８９に進み、１コマ、または、複数コマの画像データの復活が実行される。モニタ表示は、復活したコマ画面が表示された表示画面Ｍ８６となる。このとき、復活前の状態を示す表示画面Ｍ８７が交互に表示される。ＬＣＤ表示Ｌ８５は、「０，０」表示となる。
【０１０８】
ステップＳ９０で該スイッチ４５が押圧された場合、復活処理終了となる。該スイッチ４５が押圧されない場合、復活前の状態に戻される。
【０１０９】
なお、タイマ時計、または、ＵＰ／ＤＯＷＮスイッチ３３，３４の同時押圧動作により、最初の処理段階の通常１コマ再生に戻すようにすることも可能である。
【０１１０】
以上のように、管理情報領域の管理情報を改変することによって、この管理情報に対応する主情報領域に格納された主情報のデータを消去することなく主情報を当該装置における通常の操作では再生不可能とするが、特殊な操作等によってのみ再生可能な所内状態に変換することを可能とする。
【０１１１】
従って、消去を行うことによって、通常の操作では再生不能とする点では従来の装置における消去とは同等であり、機密保持の要請に応え得る。しかも、主情報が一時的に消去状態と等価な状態になっても特定の処理を施すことによって、当該情報を再び顕在化でき、誤って消去したとしてもデータの消滅が避けられ、非常に有用なものとなる。
【０１１２】
次に、上記図４のフローチャートのステップＳ６でコールされるコマ詰め処理について図１６のフローチャートにより説明する。
【０１１３】
ＵＰ／ＤＯＷＮスイッチ３３，３４を同時に押圧して、復活処理、および、コマ詰め処理がコールされると、モニタの表示画面として、マルチ表示画面である表示画面Ｍ８０が表示される。ＬＣＤ表示Ｌ８０は、無表示となる。なお、表示画面Ｍ８０の例ではコマＮＯ．２，４，６，７の画面は、通常消去されており、黄ミュート画面となっている。コマＮＯ．９の画面は、黒ミュート画面となっている。
【０１１４】
ステップＳ９１にて、ＵＰ／ＤＯＷＮスイッチ３３，３４によりコマ送り操作を行い、ステップＳ９２にて、任意の指定コマＮＯ．からのコマ詰めを行うかコマＮＯ．１からのコマ詰めを行うかの判別を行う。記録、または、通常消去、または、予約消去コマが選択されているときは、後述するステップＳ９６に進み（図１７）、記録、または、通常消去、または、予約消去コマの最終に続く黒ミュート画面のコマが選択されているときは、ステップＳ９３に進む。
【０１１５】
上記ステップＳ９１において、ＵＰ／ＤＯＷＮスイッチ３３，３４を操作して、順送りにコマ送りを行うか、または、ＵＰスイッチ３３を長い時間押圧して、黒ミュート画面のコマへジャンプしてコマ送りする。例えば、表示画面Ｍ９１の場合は、該コマＮＯ．９まで移動させる。ＬＣＤ表示Ｌ９１は「９」が２つ点灯する。ステップＳ９３にて、コマ詰め実行操作、即ち、トリガスイッチ４５の２段目を押圧すると、モニタ画面Ｍ９２に示すように指定されているコマＮＯ．１のみを点灯させ、コマＮＯ．２から９までは、コマ詰め表示である破線４角表示を点灯させる。ＬＣＤ表示Ｌ９２は、該指定コマＮＯ．１とコマ詰め表示の破線４角表示をする。
【０１１６】
続いて、ステップＳ９４でコマＮＯ．１以下のコマ詰め処理を行う。即ち、モニタ表示画面Ｍ９３に示すように通常，予約，完全消去されているコマＮＯ．の部分に記録コマ画像を詰めて表示し、それの後続するコマＮＯ．位置に通常消去コマ，予約消去コマを配置して表示する。
【０１１７】
上記ステップＳ９１において、ＵＰスイッチ３３、または、ＤＯＷＮスイッチ３４を１回押圧すると、図１７のモニタ表示画面Ｍ９４では、コマＮＯ．１が点滅する。更に、ＵＰ／ＤＯＷＮスイッチ３３，３４を操作して、コマ送りを行う。そこで、モニタ表示画面Ｍ９５に示すように移動先のコマＮＯ．を点滅させ、ＬＣＤ表示Ｌ９５には該指定コマＮＯ．を表示する。
【０１１８】
ステップＳ９６でＦＯＣＵＳスイッチ３８の操作により選択したコマ詰めの先頭コマＮＯ．を指定する。ＦＯＣＵＳスイッチ３８を押圧する度にコマ復活指定とコマ詰め指定が切り換わるが、ここでは、コマ詰め指定を選択する。モニタ表示画面Ｍ９６に示すように該指定コマＮＯ．のみを点灯させ、指定コマＮＯ．以外のコマＮＯ．をコマ詰め表示である破線４角表示にする。ＬＣＤ表示Ｌ９６は、該指定コマＮＯ．コマ詰め表示である破線４角表示状態となる。ステップＳ９７でトリガスイッチ４５の２段目押圧を行って、コマ詰めを実行すると、上記指定コマＮＯ．からコマ詰めが行われる。
【０１１９】
そのとき、モニタ表示画面はＭ９７に示すように、例えば、コマＮＯ．４以降、コマＮＯ．７までに連続して記録画像データを移動してコマ詰め表示する。また、それに後続するコマＮＯ．位置に通常，予約消去コマを配置して表示する。それらの通常，予約消去コマの画面は黄ミュート，緑ミュート画面となっている。上記モニタ表示画面Ｍ９７の表示コマ数は、この例の場合では、コマＮＯ．４を先頭にコマ詰めを行うことから表示コマ数が元の９コマから１２コマになるので、画面表示数を増やして、４×４の１６分割表示となり、新たに追加した１３コマ以降は黒ミュート画面となる。
【０１２０】
なお、上記記録画像データのコマと通常，予約消去コマを詰めて並べる順序は、元のコマＮＯ．の小さい順に並べてもよいし、ヘッダ情報を読み取って、記録時間順に配列してもよい。
【０１２１】
また、コマ詰めする前の元のコマＮＯ．は、マイコン等のメモリ内に一時的に記録するか、メモリカード１０のヘッダー情報として記録しておく。この情報を読み取って、コマ詰め前の状態に戻すコマ戻し処理を行うことも可能である。
【０１２２】
【発明の効果】
以上述べたところから明らかなように本発明は、大容量記録媒体を用いる場合や記録枚数が多い場合でも、画像情報の再生時間を短くできるという長所を有する。
【図面の簡単な説明】
【図１】本発明の第１実施例を示す電子スチルカメラのブロック構成図である。
【図２】上記図１のカメラの外観を示す平面図である。
【図３】上記図２のＡ矢視図である。
【図４】上記図１のカメラにおける通常の再生を実施する「通常再生処理」のフローチャートと表示画面を示す図である。
【図５】上記図１のカメラにおける「通常再生処理」でのモニタのマルチ表示画面を示す図である。
【図６】上記図４のルーチン「通常再生処理」中でコールされるサブルーチン「消去処理」のフローチャートである。
【図７】上記図６のルーチン「消去処理」中でコールされるサブルーチン「１コマ消去処理」のフローチャートである。
【図８】上記図７のサブルーチン「１コマ消去処理」中でコールされるサブルーチン「通常消去処理１」のフローチャートである。
【図９】上記図６のサブルーチン「消去処理」でコールされるサブルーチン「全コマ消去処理」のフローチャートである。
【図１０】上記図９のサブルーチン「全コマ消去処理」でコールされるサブルーチン「通常消去処理２」のフローチャートと表示画面を示す図である。
【図１１】上記図６のサブルーチン「消去処理」でコールされるサブルーチン「複数コマ消去処理」のフローチャートの一部と表示画面を示す図である。
【図１２】上記図６のサブルーチン「消去処理」でコールされるサブルーチン「複数コマ消去処理」のフローチャートの一部である。
【図１３】上記図１１，１２のサブルーチン「複数コマ消去処理」でコールされるサブルーチン「通常消去処理３」のフローチャートと表示画面を示す図である。
【図１４】上記図４のルーチン「通常再生処理」中でコールされるサブルーチン「復活処理」のフローチャートの一部と表示画面を示す図である。
【図１５】上記図４のルーチン「通常再生処理」中でコールされるサブルーチン「復活処理」のフローチャートの一部と表示画面を示す図である。
【図１６】上記図４のルーチン「通常再生処理」中でコールされるサブルーチン「コマ詰め処理」のフローチャートの一部と表示画面を示す図である。
【図１７】上記図４のルーチン「通常再生処理」中でコールされるサブルーチン「コマ詰め処理」のフローチャートの一部と表示画面を示す図である。
【図１８】上記図１の電子スチルカメラにおける通常再生処理でのサブルーチン「大容量コマ送り１」のフローチャートである。
【図１９】上記図１８のカメラにおける大容量コマ送り処理の変形例であるサブルーチン「大容量コマ送り処理２」のフローチャートである。
【図２０】従来の電子スラルカメラ等に適用されるメモリカードにおけるＤＯＳフォーマットのメモリ領域を示す図である。
【符号の説明】
１０１        ＦＡＴ領域（管理情報領域）
１０２        ディレクトリ領域（管理情報領域）
１０３        データ領域（主情報領域）
Ｓ２４        予約消去処理１（情報消去モードを設定するための手段）
Ｓ２５        通常消去処理１（情報消去モードを設定するための手段）
Ｓ４４        予約消去処理２（情報消去モードを設定するための手段）
Ｓ４５        通常消去処理２（情報消去モードを設定するための手段）
Ｓ６８        予約消去処理３（情報消去モードを設定するための手段）
Ｓ６９        通常消去処理３（情報消去モードを設定するための手段）
【図１】
0003717541.tif 000006
【図２】
0003717541.tif 000007
【図３】
0003717541.tif 000008
【図４】
0003717541.tif 000009
【図５】
0003717541.tif 000010
【図６】
0003717541.tif 000011
【図７】
0003717541.tif 000012
【図８】
0003717541.tif 000013
【図９】
0003717541.tif 000014
【図１０】
0003717541.tif 000015
【図１１】
0003717541.tif 000016
【図１２】
0003717541.tif 000017
【図１３】
0003717541.tif 000018
【図１４】
0003717541.tif 000019
【図１５】
0003717541.tif 000020
【図１６】
0003717541.tif 000021
【図１７】
0003717541.tif 000022
【図１８】
0003717541.tif 000023
【図１９】
0003717541.tif 000024
【図２０】
0003717541.tif 000025